(57)【特許請求の範囲】
【請求項１】
物品を保持する保持具を備えるカウンタであって、
該カウンタの側周面には、前記保持具を左右方向に移動自在に支持する支持レールが延設され、前記保持具は、前記支持レールに移動自在に取り付けられた取り付け部と、該取り付け部に支持され、物品を保持する保持部と、から構成され、前記保持部の少なくとも一部が、前記取り付け部よりも左側または右側に前記カウンタの側周面に沿うように配置され、前記取り付け部の左右方向の幅は、前記保持部の左右方向の幅よりも短く形成され、かつ、前記取り付け部に対して左右方向を向く前記保持部を左右方向にスライド自在に取り付けていることを特徴とする保持具を備えるカウンタ。
【請求項２】
前記支持レールの少なくとも一端が、前記カウンタの側周面における左右いずれかの端部まで延設されており、前記取り付け部が前記カウンタの側周面における左右いずれかの端部に位置したときに、前記保持部が前記カウンタの端部よりも外側に突出するようになっていることを特徴とする請求項１に記載の保持具を備えるカウンタ。
【請求項３】
前記支持レールが、前記カウンタに対して手前側に引き出し自在に設けられた前面板に設けられていることを特徴とする請求項１または２に記載の保持具を備えるカウンタ。
【請求項４】
前記カウンタの側周面には、前記前面板が左右方向に複数並んで配置され、前記支持レールは、隣り合う前記前面板の間に渡って前記取り付け部が移動できるように連接して設けられていることを特徴とする請求項３に記載の保持具を備えるカウンタ。
【請求項５】
前記保持部が、長穴が形成された板状部材からなり、該板状部材は、その上部が下部よりも前記カウンタ側に傾斜する傾斜姿勢で前記取り付け部に支持されていることを特徴とする請求項１ないし４のいずれかに記載の保持具を備えるカウンタ。
【発明の詳細な説明】
【技術分野】
【０００１】
本発明は、タオル等の物品を保持するための保持具が設けられたカウンタに関する。
【背景技術】
【０００２】
従来、例えばキッチンスペース等に配置されるキッチンカウンタや、洗面所に配置される洗面カウンタ等において使用するタオル等の物品を、カウンタの前面（側周面）に保持しておくことがあり、このようなタオル等の物品を保持する保持具としては、例えば洗面流しの下方に位置して前面側（側周面）に開口部を有するタオル収納部と、このタオル収納部の上部に位置して手前側にスライドして突出するスライド部とを備え、タオル（物品）が掛けられたスライド部を、タオル収納部の内部に収納した状態から手前側にスライドさせることで引き出せるようにしたもの等がある（例えば、特許文献１参照）。
【０００３】
【特許文献１】特開平１１−２５３３３４号公報（第４頁、第１図）
【発明の開示】
【発明が解決しようとする課題】
【０００４】
しかしながら、特許文献１に記載の洗面台（カウンタ）においては、使用者が洗面流しを使用中であるとき、タオルが掛けられたスライド部（保持具）をタオル収納部に収納することで、スライド部が洗面台の前面側に立つ使用者の邪魔にならないようになっているが、洗面台の使用後においてタオルを使用するときに、洗面流しの下方に収納されているスライド部をタオル収納部から手前側に引き出したり、使用後に収納する必要があるため、出し入れが面倒であるばかりか、洗面台の手前側にスライド部を引き出すためのスペースを確保しておく必要がある。また、タオル収納部を形成するために洗面台内部の収納スペースが占有されてしまうという問題があった。
【０００５】
本発明は、このような問題点に着目してなされたもので、物品をカウンタの左右方向に移動させて使い易い位置にて使用できるとともに、物品を使用しないときにおいてカウンタ内部の収納スペースを占有することなく、かつ使用者の邪魔にならない位置に配置させることができる保持具を備えたカウンタを提供することを目的とする。
【課題を解決するための手段】
【０００６】
前記課題を解決するために、本発明の請求項１に記載の保持具を備えるカウンタは、物品を保持する保持具を備えるカウンタであって、該カウンタの側周面には、前記保持具を左右方向に移動自在に支持する支持レールが延設され、前記保持具は、前記支持レールに移動自在に取り付けられた取り付け部と、該取り付け部に支持され、物品を保持する保持部と、から構成され、前記保持部の少なくとも一部が、前記取り付け部よりも左側または右側に前記カウンタの側周面に沿うように配置され、前記取り付け部の左右方向の幅は、前記保持部の左右方向の幅よりも短く形成され、かつ、前記取り付け部に対して左右方向を向く前記保持部を左右方向にスライド自在に取り付けていることを特徴としている。
この特徴によれば、使用者は状況に応じて保持具をカウンタの左右方向に移動して使い易い位置にて物品を使用することができるばかりか、使用しないときは邪魔にならないように左右いずれかの側方に移動しておくことができる。また、保持部はカウンタの側周面に沿うように設けられていることで、保持具をカウンタ内部に出し入れする必要がないとともに、物品を使用しないときにカウンタ側周面から手前側に大きく突出して邪魔になることがない。さらに、支持レールの左右端部において保持部を外側方に突出させることができるばかりか、反対側への移動時に手前側に大きく張り出して邪魔になることがない。
【０００７】
本発明の請求項２に記載の保持具を備えるカウンタは、請求項１に記載の保持具を備えるカウンタであって、
前記支持レールの少なくとも一端が、前記カウンタの側周面における左右いずれかの端部まで延設されており、前記取り付け部が前記カウンタの側周面における左右いずれかの端部に位置したときに、前記保持部が前記カウンタの端部よりも外側に突出するようになっていることを特徴としている。
この特徴によれば、取り付け部が支持レールの左右いずれかの端部に位置したとき、保持部の少なくとも一部がカウンタの端部よりも外側方のスペースに位置し、物品をカウンタの左右端部を超えた位置に退避させることができるため、カウンタの側周面における左右方向のいずれの位置においても物品が邪魔になることがない。
【０００８】
本発明の請求項３に記載の保持具を備えるカウンタは、請求項１または２に記載の保持具を備えるカウンタであって、
前記支持レールが、前記カウンタに対して手前側に引き出し自在に設けられた前面板に設けられていることを特徴としている。
この特徴によれば、前面板が引き出されると、前面板とともに保持具が移動されるので、前面板を引き出して使用する際に保持具や保持された物品が邪魔にならない。
尚、前記前面板とは、例えばカウンタ内部に収納されるとともに、該カウンタの手前側に引き出し自在に設けられた引き出しや補助カウンタ等の前面側に設けられる板部材を含む。
【０００９】
本発明の請求項４に記載の保持具を備えるカウンタは、請求項３に記載の保持具を備えるカウンタであって、
前記カウンタの側周面には、前記前面板が左右方向に複数並んで配置され、前記支持レールは、隣り合う前記前面板の間に渡って前記取り付け部が移動できるように連接して設けられていることを特徴としている。
この特徴によれば、各前面板に設けられる支持レールを連接して長い支持レールを構成することにより保持具の移動範囲を大きくすることができるばかりか、いずれかの前面板を引き出して使用するときには、保持具を隣りの前面板に移動させておくことができるので、保持具が前面板の引き出し操作の邪魔になることがない。
【００１０】
本発明の請求項５に記載の保持具を備えるカウンタは、請求項１ないし４のいずれかに記載の保持具を備えるカウンタであって、
前記保持部が、長穴が形成された板状部材からなり、該板状部材は、その上部が下部よりも前記カウンタ側に傾斜する傾斜姿勢で前記取り付け部に支持されていることを特徴としている。
この特徴によれば、タオル等の長尺の物品をカウンタの側周面に沿うように掛けることができるばかりか、板状部材が傾斜していることにより、使用者から長穴が見えやすくなって物品を掛けやすくなるとともに、長穴が形成されることで、保持具を移動させるための取手として保持部を使用することができる。
【発明を実施するための最良の形態】
【００１３】
本発明に係る保持具を備えるカウンタを実施するための最良の形態を実施例に基づいて以下に説明する。
【実施例１】
【００１４】
本発明の実施例を図面に基づいて説明すると、先ず図１は、実施例１におけるキッチンカウンタを示す斜視図であり、図２は、実施例１におけるキッチンカウンタを示す正面図であり、図３は、実施例１におけるタオルハンガーを示す正面図であり、図４は、実施例１におけるタオルハンガーを示す平面図であり、図５は、実施例１におけるタオルハンガーを示すＡ−Ａ縦断側面図である。以下、図１における紙面左下方側をキッチンカウンタの正面側として説明する。
【００１５】
図１の符号１は、室内空間をキッチン側とダイニング側とに仕切るように配置されるキッチンカウンタ１であり、このキッチンカウンタ１の正面側はキッチン空間となっているとともに、キッチンカウンタ１の背面側はダイニング空間となっている。このキッチンカウンタ１は、キッチン側に居る使用者がダイニング側に居る人と対面しながら調理作業を行える対面式のキッチンカウンタ１となっている。
【００１６】
図１に示すように、キッチンカウンタ１の天板２の上面には、ガスコンロ３やシンク４や蛇口５が設けられており、キッチンカウンタ１の正面側には、ガスコンロ３の操作部６や複数の引き出し７，８が上・中・下段に設けられている。各々の引き出し７，８の正面側には、該引き出し７，８をキッチンカウンタ１の本体内に収納可能とするための開口を閉塞可能な前面板としての正面板９，１０が取り付けられており、各々の正面板９，１０の上端縁部には、正面板９，１０の左右方向の全幅に渡って延びる取手１１，１２が設けられている。この取手１１，１２は、側面視で正面側が開口される略コ字形状を成している。
【００１７】
また、図１に示すキッチンカウンタ１に設けられた引き出し７，８のうち、天板２の前端縁の下方近傍に収納される引き出し７の正面板９に設けられた取手１１の上部は、取手１１の左右方向に沿って延びるとともに、下方が開口される断面視で略Ｃ字形状を成す支持レールとしての摺動レール１３にて構成されている（図５参照）。更に、取手１１に沿って左右方向に摺動移動できる本実施例における保持具としてのタオルハンガー１４が、摺動レール１３の長手方向に摺動（移動）自在に取り付けられている。
【００１８】
尚、２つの引き出し７のうち、シンク４が配置された側（右側）に設けられた引き出し７は、内部に物品を収納可能な収納箱体（図示略）がシンク４の下方位置に配置され、この収納箱体の前部に設けられる正面板９の上下幅は、その左側に設けられる上段及び中段の両引き出し７，８の正面板９，１０の上下幅と同寸に形成されている。
【００１９】
図３及び図４に示すように、タオルハンガー１４本体は、正面視で略長方形状を成す板状部材で構成され、その長手方向が左右方向を向くように、かつ取手１１に沿うように配置されている。尚、タオルハンガー１４には、本実施例における物品の一例としてのタオル１５を挿通可能な長穴としての貫通穴１６が形成されており、この貫通穴１６の下方には本実施例における保持部としての保持片１７が形成され、この保持片１７にタオル１５を掛け止めできるようになっている。
【００２０】
また、図５に示すように、タオルハンガー１４は、その上部が下部よりも後側（カウンタ本体側）に傾斜する後傾姿勢で設けられており、前面における上下方向の中央が前方に向けて膨出するように湾曲されている。このように板状のタオルハンガー１４が前方側に向かって下がるように傾斜姿勢で設けられていることにより、図４に示すように、横長板状のタオルハンガー１４を垂直姿勢にて設けた場合に比べて上方から貫通穴１６が見えやすくなり、使用者がタオル１５を貫通穴１６に掛け止めする際に、タオル１５を斜め上方側から貫通穴１６に入れ易くなるとともに、横長板状のタオルハンガー１４を水平姿勢にて設けた場合に比べて、キッチンカウンタ１の正面から使用者側に向けて大きく突出することがないので邪魔にならない。
【００２１】
さらには、図５に示すように、天板２の前端縁よりもタオルハンガー１４の前端（下端）が使用者側に向けて突出しないように、天板２の前端の庇部の直下に収容されるように配置することで、例えば使用者が天板２の前端縁に寄りかかった姿勢で作業（調理）等を行うことがあっても、タオルハンガー１４が当たって邪魔になることがない。
【００２２】
また、貫通穴１６の上方には上片１８が形成され、使用者は貫通穴１６に手を入れて保持片１７を掴むことでタオルハンガー１４を左右方向に摺動移動させることができる。尚、図３に示すように、タオルハンガー１４の前方側（下方側）の２つの角部１９は所定の曲率でラウンド形成されており、このようにタオルハンガー１４の前方側に突出した２つの角部１９がラウンドされていることで、使用者の体や子供の頭が角部１９に接触することがあっても怪我をしにくいので安全である。
【００２３】
図４及び図５に示すように、左右方向を向くタオルハンガー１４を正面から見て左側端部には、タオルハンガー１４を摺動レール１３に対して摺動自在に取り付けるための取り付け片２０が後側に向けて突出形成されているとともに、この取り付け片２０の上面には、摺動レール１３内に摺動自在に嵌合される断面視で略Ｔ字形状を成す摺動部材２１がネジ２２を用いて固着されており、この摺動部材２１と取り付け片２０とにより本発明の取り付け部が構成されている。
【００２４】
この取り付け片２０の左右方向の幅は、タオルハンガー１４本体の左右方向の幅よりも短く形成されているため、物品としてのタオルを保持する保持部を構成する保持片１７は、該保持片１７を摺動レール１３に対して摺動自在に取り付けるための取り付け部としての取り付け片２０から右側方に向けて、摺動レール１３、すなわち、キッチンカウンタ１の正面（側周面）に沿うように延設されているため、取り付け片２０よりも右側に配置されていることになる。
【００２５】
図２に示すように、２つの引き出し７，７は左右方向に並んで隣接配置されており、これら引き出し７の正面板９の上端縁に設けられた摺動レール１３は、各々の引き出し７を収納した状態において互いの端部が連接するように配置されている。また、タオルハンガー１４の摺動部材２１の左右方向の長さは、互いに隣接する摺動レール１３，１３の端部間に形成される微量の隙間幅よりも長く形成されているため、摺動部材２１が一方の摺動レール１３から他方の摺動レール１３に乗り移ることができ、タオルハンガー１４が隣り合う摺動レール１３の間に渡って左右方向に移動できるようになっている。
【００２６】
また、使用者がタオルハンガー１４が配置された引き出し７に収納物を出し入れする際には、引き出し７を手前側に引き出すと、正面板９の前方への移動とともにタオルハンガー１４も前方へ移動するので、引き出し７内への収納物の出し入れ作業の邪魔にならない。尚、引き出し７を閉鎖するときも、正面板９の後方への移動とともにタオルハンガー１４が移動されて元の位置に戻る。さらに、押し出し成型によりチャンネル状に形成された摺動レール１３に対して、タオルハンガー１４を組み付け時や増設時等において取り付けたいとき、あるいは取り外したいときは、いずれか一方の引き出し７を引き出すことで、引き出した摺動レール１３の側端部が露呈されるため、タオルハンガー１４を摺動レール１３の側方から簡単に取り付け、取り外しできる。
【００２７】
尚、使用者が中段及び下段に配置された引き出し８に収納物を出し入れする際には、開放したい引き出し８の直上に配置されている引き出し７に配置されているタオルハンガー１４を、隣りの引き出し７の摺動レール１３に摺動、あるいは直上の引き出し７の右側端部まで摺動させればよく、長尺物のタオル１５がタオルハンガー１４から垂れ下がっていても、タオル１５が邪魔にならずに引き出し８に収納物を出し入れすることができる。尚、複数の引き出し７の正面板９に設けられる摺動レール１３を連接して長い摺動レール１３を構成することにより、タオルハンガー１４の移動範囲を大きくすることができる。
【００２８】
また、図２に示すように、タオルハンガー１４は、キッチンカウンタ１の正面に左右方向に向けて延設された摺動レール１３に沿って左右方向に摺動移動でき、タオルハンガー１４の取り付け片２０が摺動レール１３の右端部にまで移動されたときに、該取り付け片２０よりも右側に配置される保持片１７が、摺動レール１３の右端よりも右側方に突出されるため、タオル１５がキッチンカウンタ１の正面よりも右側方に退避され、タオルハンガー１４に吊り下げられたタオル１５が中段及び下段に配置されている引き出し８の正面側に掛かることがないので、中段及び下段の引き出し８の開閉作業を行う際にタオル１５が邪魔になることがない。
【００２９】
以上、本実施例では、使用者は状況に応じてタオルハンガー１４をキッチンカウンタ１の左右方向に移動して使い易い位置にてタオル１５を使用することができるばかりか、使用しないときは、キッチンカウンタ１の使用者の邪魔にならないように、左右いずれかの側方に退避させておくことができる。また、保持片１７はキッチンカウンタ１の正面に沿うように取り付け片２０から延設されていることで、保持片１７をカウンタ内部に出し入れする必要がないとともに、タオル１５を使用しないときにキッチンカウンタ１の正面から手前側に大きく突出して邪魔になることがない。
【００３０】
さらに、取り付け片２０が摺動レール１３の右端部に位置したとき、保持片１７が摺動レール１３の端部よりも外側、すなわち、キッチンカウンタ１の正面よりも右側方のスペースに位置し、タオル１５をキッチンカウンタ１の右端部を超えた位置に退避させることができるため、キッチンカウンタ１の正面における左右方向のいずれの位置においても、タオル１５が使用者の邪魔になることがない。
【実施例２】
【００３１】
次に、実施例２に係る保持具を備えるカウンタにつき、図６を参照して説明する。尚、前記実施例に示される構成部分と同一構成部分に付いては同一符号を付して重複する説明を省略する。図６は、実施例２におけるキッチンカウンタを示す斜視図である。
【００３２】
図６に示すように、キッチンカウンタ１の引き出し７の取手１１に取り付けられた摺動レール１３には、摺動レール１３に沿って左右方向に摺動移動できる本実施例における保持具としてのタオルハンガー１４’が設けられている。このタオルハンガー１４’は、摺動レール１３に摺動自在に取り付けられる取り付け片２０’と、この取り付け片２０’に設けられた上下方向を向く枢軸（図示略）を軸として水平方向に回動自在に支持された棒状の保持部２３とを備えている。棒状の保持部２３は水平方向に延びており、本実施例における物品としてのタオル１５を掛ける（保持する）ことができるようになっている。
【００３３】
図６に示す保持部２３が水平方向に回動できるようになっていることで、保持部２３の先端をキッチンカウンタ１の正面から手前側に引き出すように回転させ、キッチンカウンタ１の正面に対して所定角度をなす位置（図中右側の２点鎖線で示される位置等）にてタオル１５を使用できるため、タオル１５の使い勝手が良くなる。
【００３４】
また、タオルハンガー１４’の取り付け片２０’を右側に配置された正面板９の摺動レール１３の右端部まで移動させたときには、保持部２３を右側に回動させれば、保持部２３が摺動レール１３よりも右側方に配置されるので、タオル１５がキッチンカウンタ１の正面から退避し、保持部２３から垂れ下がったタオル１５が中段及び下段の引き出し８の開閉作業の邪魔にならない。
【００３５】
また、タオルハンガー１４’の取り付け片２０’を左側に配置された正面板９の摺動レール１３の左端部まで移動させたときに、保持部２３を約１８０度回転して左右方向の反対側まで移動させ、取り付け片２０’よりも左側に配置すれば（図中左側の２点鎖線で示される状態参照）、保持部２３が摺動レール１３よりも左側に配置されるので、保持部２３から垂れ下がったタオル１５が中段及び下段の引き出し８の開閉作業の邪魔にならない。
【００３６】
また、本実施例における保持部２３は、取り付け部としての取り付け片２０’に対して一端が水平方向に回動自在に枢支されており、回動により取り付け片２０’の左右方向の反対側まで移動できるように構成されていたが、本発明はこれに限定されるものではなく、例えば、取り付け部に対して左右方向を向く保持部を左右方向にスライド自在に取り付け、支持レールの左右いずれか一方の端部に位置したときに、保持部を取り付け部に対して左右いずれかにスライド移動させることで、取り付け部の反対側まで移動できるようにしてもよく、このようにすれば、支持レールの左右端部において保持部を外側方に突出させることができるばかりか、反対側への移動時に手前側に大きく張り出して邪魔になることがない。
【実施例３】
【００３７】
次に、実施例３に係る保持具を備えるカウンタにつき、図７を参照して説明する。尚、前記実施例に示される構成部分と同一構成部分に付いては同一符号を付して重複する説明を省略する。図７は、実施例３におけるキッチンカウンタを示す斜視図である。
【００３８】
図７に示すように、キッチンカウンタ１の引き出し７の取手１１に取り付けられた摺動レール１３には、摺動レール１３に沿って左右方向に摺動移動可能な本実施例における保持具としての略皿盤状のトレイ２４が設けられている。また、このトレイ２４の前縁部には、レードル２５等の調理器具を吊り掛けられるフック２６が設けられている。
【００３９】
図７に示すトレイ２４の上面には、キッチンカウンタ１の使用時に一時的に調味料等の小物類２７（物品）を載置（保持）しておくことができる。また、使用者の手につけている指輪等の貴金属類も載置させておくことができる。トレイ２４に小物類２７を載置させておくことで、キッチンカウンタ１の天板２上に小物類２７を載置しなくてもよくなり、天板２上の面積を広く使用できるようになっている。
【００４０】
尚、トレイ２４を摺動レール１３に摺動自在に取り付けるための取り付け片（図示略）の左右方向の幅は、トレイ２４の左右方向の幅よりも短くなっており、取り付け片（図示略）はトレイ２４の背面側における左端部に固着されている。そのためトレイ２４を摺動レール１３の右端部まで移動させたときに、トレイ２４の一部はキッチンカウンタ１の右方側に突出するようになっている。このようにトレイ２４を摺動レール１３及びキッチンカウンタ１の側方に退避させることで、トレイ２４及びフック２６に掛けられたレードル２５等を使わないときに使用者の邪魔になることがないとともに、トレイ２４は図示しない取り付け片から右側に向けてキッチンカウンタ１の正面に沿うように延設されているため、キッチンカウンタ１の正面から使用者側に向けて延設されている場合に比べて、キッチンカウンタ１の正面から手前側に大きく張り出すことがない。
【００４１】
また、対面式のキッチンカウンタ１では、使用者と対面する背面側に壁面等が配置されないので、壁面等にレードル２５等を一時的に吊り掛けるためのフックを設置することができないが、本実施例では、摺動レール１３に沿って左右方向の摺動できるトレイ２４にフック２６が設けられているので、対面式のキッチンカウンタ１であっても、使用者は自分が使い易い位置にフック２６を配置させておくことができ、更に、フック２６を使用しないときには、トレイ２４を摺動レール１３に沿って移動させるだけで、邪魔にならない位置にフック２６を容易に退避させることができる。
【実施例４】
【００４２】
次に、実施例４に係る保持具を備えるカウンタにつき、図８を参照して説明する。尚、前記実施例に示される構成部分と同一構成部分に付いては同一符号を付して重複する説明を省略する。図８は、実施例４におけるキッチンカウンタを示す斜視図である。
【００４３】
図８に示すように、キッチンカウンタ１の天板２の前縁部には、摺動レール１３’が固着されており、この摺動レール１３’に沿って左右方向に摺動移動可能な本実施例における保持具としての電源コンセント２８が設けられている。この電源コンセント２８は、キッチンカウンタ１の天板２上に載置された家電機器としてのミキサー２９から延設された本実施例における物品としての電源プラグ３０を差し込んで保持する保持具とされており、ミキサー２９に電気を供給できる。
【００４４】
また、図８における部分拡大側面図に示すように、天板２の前端縁の下面に固着された摺動レール１３’の内部には、ボールベアリング３１によって摺動される取り付け片２０’’が配置されており、この取り付け片２０’’が摺動レール１３’に係合されることで電源コンセント２８を支持している。電源コンセント２８から延びる電気ケーブル３２は、摺動レール１３’の後端に形成されたスリット３３から天板２の下方側に延びて配線されている。
【００４５】
尚、電源コンセント２８を支持する取り付け片２０’’の左右方向の幅は、電源コンセント２８の左右方向の幅よりも短くなっており、取り付け片２０’’は電源コンセント２８の背面側における左端部に固着されている。そのため電源コンセント２８を摺動レール１３’の右端部まで移動させたときに、電源コンセント２８の一部は右方側に突出するようになっている。このように電源コンセント２８を退避させることで、キッチンカウンタ１上から落ちてくる水や油等の汚れから電源コンセント２８を退避させることができる。家電機器２９の使用時には、電源コンセント２８をキッチンカウンタ１の正面側に容易に配置できるので、使い勝手が良くなる。
【００４６】
また、対面式のキッチンカウンタ１では、使用者と対面する位置に壁面等が配置されないので、壁面等に電源コンセント２８等を設置できないが、本実施例では、摺動レール１３’に沿って左右方向の摺動できる電源コンセント２８が設けられているので、対面式のキッチンカウンタ１であっても、使用者は自分が使い易い位置に電源コンセント２８を配置させておくことができる。
【００４７】
以上、本発明の実施例を図面により説明してきたが、具体的な構成はこれら実施例に限られるものではなく、本発明の要旨を逸脱しない範囲における変更や追加があっても本発明に含まれる。
【００４８】
例えば、前記実施例では、摺動レール１３，１３’に沿うように延設され、左右方向に摺動可能な保持具１４，１４’，２４，２５，２８が、キッチンスペースに設置されるキッチンカウンタ１の正面に設けられていたが、本発明はこれに限定されるものではなく、洗面所に設置される洗面カウンタ、あるいはその他の種々の目的で使用されるカウンタやキャビネット等の什器類に設けてもよい。
【００４９】
また、前記実施例ではキッチンカウンタ１の側周面の一例である正面、すなわち、上面（天板面）及び底面以外の面（正面、左右側面、背面）に摺動レール１３，１３’及び保持具１４，１４’，２４，２５，２８が設けられていたが、キッチンカウンタ１の背面や左右側面に設けてもよい。
【００５０】
また、前記実施例１〜３では、タオルハンガー１４，１４’やトレイ２４が取り付けられる摺動レール１３が、引き出し７の正面板９の上端縁部に設けられていたが、本発明はこれに限定されるものではなく、実施例４のように、キッチンカウンタ１の正面における天板２の下方近傍に１本の摺動レール１３を設けるようにしてもよい。また、保持具を摺動自在に支持する支持レールは、キッチンカウンタ１本体の側周面に直接凹設されていてもよい。
【００５１】
更に、前記実施例１〜３では、収納部としての引き出し７の正面板９に摺動レール１３，１３’が設けられ、この摺動レール１３，１３’に保持具１４，１４’，２４，２５が左右方向に摺動可能に設けられていたが、本発明にあっては、摺動レール１３，１３’等の支持レールは、収納部を有する引き出し７の前面側に設けられる正面板９に設けられるものに限定されるものではなく、例えば天板２の直下等に引き出し自在に設けられる補助テーブル等の前端に取り付けられる前面板に設けられていてもよいし、あるいは、カウンタ内部に形成される収納部の前面開口を開閉可能とする引戸或いは開き扉等に設けられていてもよい。また、このように手前側に引き出し自在に設けられる板部材だけでなく、幕板や化粧板等、キッチンカウンタ１の側周面（正面、左右側面、背面）に固着された板部材に支持レールを設けてもよい。
【図面の簡単な説明】
【００５２】
【図１】実施例１におけるキッチンカウンタを示す斜視図である。
【図２】実施例１におけるキッチンカウンタを示す正面図である。
【図３】実施例１におけるタオルハンガーを示す正面図である。
【図４】実施例１におけるタオルハンガーを示す平面図である。
【図５】実施例１におけるタオルハンガーを示すＡ−Ａ縦断側面図である。
【図６】実施例２におけるキッチンカウンタを示す斜視図である。
【図７】実施例３におけるキッチンカウンタを示す斜視図である。
【図８】実施例４におけるキッチンカウンタを示す斜視図である。
【符号の説明】
【００５３】
１                キッチンカウンタ（カウンタ）
２                天板
７，８            引き出し
９，１０          正面板（前面板）
１１，１２        取手
１３，１３’      摺動レール（支持レール）
１４，１４’      タオルハンガー（保持具）
１５              タオル（物品）
１６              貫通穴（長穴）
１７              保持片（保持部）
２０，２０’’      取り付け片（取り付け部）
２１              摺動部材（取り付け部）
２３              保持部
２４              トレイ（保持具）
２５              レードル（物品）
２６              フック（保持具）
２７              小物類（物品）
２８              電源コンセント（保持具）
２９              ミキサー（家電機器）
３０              電源プラグ（物品）
３１              ボールベアリング（取り付け部）
【図１】
0004669383.tif 000002
【図２】
0004669383.tif 000003
【図３】
0004669383.tif 000004
【図４】
0004669383.tif 000005
【図５】
0004669383.tif 000006
【図６】
0004669383.tif 000007
【図７】
0004669383.tif 000008
【図８】
0004669383.tif 000009